(57)【要約】【課題】    ハンドホール内部において、特に通信用の光ファイバーケーブルのように干渉や衝撃あるいは摩擦や圧迫など外力に比較的弱いデリケートな種類あるいは構造の電線やケーブルを、他の電線やケーブルとは隔絶して隠蔽し、他の電線やケーブルについての点検保守や各種作業の際に外力を受けること及び誤認による切断などを防止して安全に保護すると共に、不適切あるいは不正なアクセスなどからも保護することができるハンドホールを提供することを課題とする。【解決手段】  ハンドホール１の本体２内部を仕切部材３にて二つの区画に分割し、一方の区画を遮蔽部材４にて隠蔽状態とし他方の区画を開放状態とする。遮蔽部材４の平行移動が可能となるように本体２にスライドレール７を備える。更に、遮蔽部材４には鍵８を備え、本体２には鍵受け９を備え、遮蔽部材４を本体２に固定できるように構成する。【選択図】    図１
0003105501.tif 000002
【実用新案登録請求の範囲】
【請求項１】
ハンドホール内部を仕切部材にて複数区画に分割自在とすると共に、分割した区画の少なくとも一つを遮蔽部材にて隠蔽自在とするものであるハンドホール。
【請求項２】
ハンドホール内部に設置した仕切り部材を、遮蔽部材にて移動不可能とするものである請求項１に記載のハンドホール。
【請求項３】
分割した区画の少なくとも一つを、選択的に隠蔽し得る可動式の遮蔽部材を用いるものである請求項１または請求項２のいずれかに記載のハンドホール。
【請求項４】
遮蔽部材を可動とするための方式が、平行移動を可能とするスライド式、反転変位を可能とする回転式、取付け取外しを可能とする脱着式、の少なくともいずれかである請求項３に記載のハンドホール。
【請求項５】
仕切部材および／または遮蔽部材を施錠手段にて固定可能としたものである請求項１乃至請求項４のいずれかに記載のハンドホール。
【考案の詳細な説明】
【技術分野】
【０００１】  本考案は、地中に埋設された電線や通信ケーブルなどの接続や分岐あるいは点検保守のために用いられるハンドホールに関するものである。
詳しくは、ハンドホールの内部において特に光ファイバーケーブルのような干渉や衝撃あるいは摩擦や圧迫など外力に比較的弱い種類あるいは構造の電線やケーブルを他の電線やケーブルと隔絶して隠蔽し、他の電線やケーブルについての点検保守や各種作業の際に外力を受けること及び誤認による切断などを防止して安全に保護するための構造に関するものである。
【背景技術】
【０００２】  地中に埋設された電線や通信ケーブルなどを、その中間で接続したり特定の場所で分岐あるいは集中させたり、また、これらを点検保守するためにハンドホールが用いられる。
このハンドホールについては種々様々なものがあるが、基本的には地中に埋設する箱状の本体と地表面に露呈する蓋とからなるものであり、本体には電線管を接続するための孔が設けられ、本体内部には電線やケーブルを固定したり載置するためのラックなどが備えられているものもある。
一方、地中に埋設する電線や通信ケーブルには、電力供給用を始め各種信号伝達用など種々のものがあり、その構造や寸法および被覆材そして外力に対する強度なども種々様々であるが、特に通信用の光ファイバーケーブルのように干渉や衝撃あるいは摩擦や圧迫など外力に比較的弱いデリケートな種類あるいは構造のものもある。
そこで、ハンドホール本体内部を仕切板などにて分割し、電線やケーブルの種類や性質あるいは用途や電圧など、または何らかの系統毎に分けて別収納とすることが、例えば下記の特許文献等の如く従来より提案されてきた。【０００３】
【特許文献１】        実開平７−３８２６２号公報
【特許文献２】        特開平１０−２８５７７４号公報
【特許文献３】        特開２００１−１１９８４４号公報
【考案の開示】
【考案が解決しようとする課題】
【０００４】  しかしながら、従来より提案されてきたようなハンドホールの構造にあっては、単純に仕切板などにて内部を仕切り、電線やケーブルを種類や性質あるいは用途や電圧など、または何らかの系統毎に分けて別収納とするだけのものであり、更に隠蔽して保護するものではなかった。
ハンドホールの実際の使用においては、各種および複数の電線やケーブルの端部を内部に引き込んで接続したり切り離したり、あるいは分岐させたり集中させるなどのために、極めて多くの作業を伴うのであり、更に点検保守や維持管理などにおいては定期不定期に頻繁な監視作業や測定作業あるいは清掃作業なども多く行われるのである。
このような作業において、部品や材料あるいは工具その他の物が図らずも落下したり、あるいはこれらを取り回す際に他の電線やケーブルに干渉してしまうことも、少なからず発生し得るものである。
また、光ファイバーケーブルなど通信用のケーブルについては、上記のような物理的な外力の他に、伝達する情報そのものについての不適切あるいは不正なアクセスなども有り得ることである。【０００５】  本考案は、このような従来の技術に着目してなされたものであり、ハンドホール内部において特に通信用の光ファイバーケーブルのように干渉や衝撃あるいは摩擦や圧迫など外力に比較的弱いデリケートな種類あるいは構造のものを、他の電線やケーブルとは隔絶して隠蔽し、他の電線やケーブルについての点検保守や各種作業の際に外力を受けること及び誤認による切断などを防止して安全に保護すると共に、不適切あるいは不正なアクセスなどからも保護することができるハンドホールを提供することを課題とするものである。
【課題を解決するための手段】
【０００６】  上記のような課題を解決するために、本考案のハンドホールは内部を仕切部材にて複数区画に分割自在とすると共に、分割した区画の少なくとも一つを遮蔽部材にて隠蔽自在とすることを基本とするものである。
また、この仕切部材を遮蔽部材にて移動不可能とするほか、仕切部材や遮蔽部材を施錠手段にて固定可能とするものである。
更には、分割した区画の少なくとも一つを選択的に隠蔽し得る可動式の遮蔽部材を用いるほか、この遮蔽部材を可動とするために平行移動を可能とするスライド式や反転変位を可能とする回転式あるいは取付け取外しを可能とする脱着式の少なくともいずれかの方式を採るものである。
【考案の効果】
【０００７】  本考案のハンドホールは、このような構成としたことにより、電線やケーブルを種類や性質あるいは用途や電圧など、または何らかの系統毎に分けて更に隠蔽して別収納とすることができ、特定の電線やケーブルを外力や誤認による切断および不適切あるいは不正なアクセスから保護することができる。
【考案を実施するための最良の形態】
【０００８】
【実施例】
【０００９】  本考案の実施例を以下、図面に基づいて説明する。尚、各図において共通する部分には同一の符号を付し重複する説明は省略する。
図１は本考案のハンドホール１を示す概略斜視図であり、本体２の内部を仕切部材３にて二つの区画に分割し、一方の区画を遮蔽部材４にて隠蔽状態とし他方の区画を開放状態としたものである。
このハンドホール１においては、予め、本体２の内部を必要に応じて二つの区画に分割できるように仕切部材３を挿入して設置するための上ガイド５および下ガイド６を備えており、また、遮蔽部材４の平行移動が可能となるようにスライドレール７も備えている。
更に、遮蔽部材４は鍵８を備えており、本体２には鍵受け９を備えており、遮蔽部材４を本体２に固定できるようになっている。
尚、１０は電線管１１を接続する孔であり、１２は本体１に被せる蓋である。Ｓは遮蔽部材４が平行移動する際に鍵８が干渉しないように仕切部材３に設けた切欠きである。【００１０】  図２は、図１に示すハンドホール１において、遮蔽部材４を平行移動させて他方の区画を隠蔽状態とし一方の区画を開放状態とした場合を示す概略斜視図である。
本考案のハンドホール１は、上記のような構成としたことにより、例えば光ファイバーケーブルのような外力に比較的弱くデリケートなものを、図１に示すように一方の区画に収納して隠蔽しておき、他の電線やケーブルを他方の区画に収納しておけば、他方の区画についての点検保守や各種作業の際に、一方の区画内部に外力を受けることを防止することができ、また、誤認による切断や不適切あるいは不正なアクセスなどからも保護することができる。
そして、図２に示すように遮蔽部材４を平行移動させることにより、隠蔽状態としておいた一方の区画を開放状態とし、その内部についての点検保守や各種作業も可能となる。
尚、この実施例においては鍵受け９を一方の区画にのみ備えたものとしたが、鍵受け９を他方の区画にも備えておけば、遮蔽部材４の向きを逆方向に変えて使用することにより他方の区画においても遮蔽部材４を本体２に固定することができる。【００１１】  図３は図１および図２に示すハンドホール１についての概略分解斜視図であり、図４は同じく概略側面図である。この図３および図４に基づいて細部について説明する。
本体２、仕切部材３、遮蔽部材４、蓋１２などは、特に材質は問わないがトンネル内の歩道や監査路に設置するものにおいては鉄製あるいは鋼製が一般的である。
上ガイド５は一対のＬ字状部材からなるものであり、下ガイドは同じく一対の直方体からなるものであるが、その材質や形状などは特に問わず各々仕切部材３の厚みを挿通可能とする隙間を有し、共に本体２に備えるものである。
スライドレール７は本体２に備えたＬ字状部材であるが、同じくその材質や形状などは特に問わず遮蔽部材４を平行移動可能とするものであれば如何なる物でも使用でき、例えば本体２に溝や段差を設けたりしても代用可能である。
鍵８および鍵受け９も特に形式や機構などを問うものでなく、遮蔽部材４を本体２に固定できるものであれば如何なる物でも使用でき、鍵の類を本体２に備え鍵受けの類を遮蔽部材４に備えることも可能である。
１３は遮蔽部材４の平行移動を規制するピンであり、スライドレール７に設けた孔１４と遮蔽部材４に設けた孔１５の位置を合わせて差込むことにより、点検保守や各種作業の際に遮蔽部材４の不要な平行移動を防止するためのものである。
１６、１７、１８は、各々遮蔽部材４の上方への移動を規制するガイドであり、共に本体２に備えるものであるが、特に１８については図４に詳しく示すように、遮蔽部材４をスライドレール７との隙間に斜め方向から挿入するため角部に丸みを設けているほかは、その材質や形状などを特に問うものではない。
また、図４に詳しく示すように、遮蔽部材４は先に設置した仕切部材３の上方を覆い塞ぐ寸法となっており、いずれかの区画を遮蔽部材４にて隠蔽した状態では仕切部材３を取り外す事ができないようになっている。【００１２】  図５は本考案のハンドホールに用いる仕切部材と遮蔽部材についての他の実施例を示す斜視図である。
図５（ａ）は仕切部材３１と遮蔽部材４１とをヒンジ機構Ｈにて連結したものであり、仕切部材３１をハンドホール内に設置した後にヒンジ機構Ｈを中心に遮蔽部材４１を回転し反転させることにより、仕切部材３１にて区画された二つの区画のいずれかを隠蔽状態とすることができるものである。
図５（ｂ）は二枚の遮蔽部材４２をヒンジ機構Ｈにて連結したものであり、別体の幾つかの仕切部材をハンドホール内に設置した後にヒンジ機構Ｈを中心に任意の遮蔽部材４２を回転し反転させることにより、別体の幾つかの仕切部材にて区画された幾つかの区画について、全部あるいは幾つかの区画を隠蔽状態とすることができるものである。【００１３】  尚、本考案のハンドホールは上記のような実施例に限るものではなく、例えば鍵および鍵受けは必要に応じて仕切部材と本体にも備える事も可能である。また、例えば遮蔽部材についても単に脱着して取付け取外しができるように構成することも適宜に公知の技術を用いて可能であり、上記実施例に示す構成を含め任意に組合せて用いる事も可能である。
更に、ハンドホール内部の分割についても、上記実施例のような二分割に限らず、必要に応じて多数としたりＴ字状や十字状などとし本考案を実施することも可能である。
【産業上の利用可能性】
【００１４】
【００１５】  本考案のハンドホールは以上説明してきた如き内容のものであり、電線やケーブルを種類や性質あるいは用途や電圧など、または何らかの系統毎に分けて更に隠蔽して別収納とすることができ、特定の電線やケーブルを安全且つ確実に保護できるものである。
従って、例えば特に光ファイバーケーブルのような外力に比較的弱いデリケートな電線やケーブルを、他の電線やケーブルとは隔絶して隠蔽し、他の電線やケーブルについての点検保守や各種作業の際に外力を受けること及び誤認による切断などを防止して安全に保護すると共に、不適切あるいは不正なアクセスなどからも保護するために用いて好適なものである。
【図面の簡単な説明】
【００１６】
【図１】  本考案の実施例を示す概略斜視図である。
【図２】  図１に示す本考案の実施例についての別の状態を示す概略斜視図である。
【図３】  図１および図２に示す本考案の実施例についての概略分解斜視図である。
【図４】  図１および図２に示す本考案の実施例についての概略側面図である。
【図５】  （ａ）（ｂ）は本考案の他の実施例をそれぞれ示す斜視図である。
【符号の説明】
１              ハンドホール
２              本体
３、３１        仕切部材
４、４１、４２  遮蔽部材
８、９          鍵、鍵受け（施錠手段）
【図１】
0003105501.tif 000003
【図２】
0003105501.tif 000004
【図３】
0003105501.tif 000005
【図４】
0003105501.tif 000006
【図５】
0003105501.tif 000007
【手続補正書】
【提出日】平成16年7月6日(2004.7.6)
【手続補正１】
【補正対象書類名】実用新案登録請求の範囲
【補正対象項目名】全文
【補正方法】変更
【補正の内容】
【実用新案登録請求の範囲】
【請求項１】
箱状ハンドホール内部を仕切部材にて複数区画に分割自在とすると共に、分割した区画の少なくとも一つを遮蔽部材にて隠蔽自在とするものであるハンドホール。
【請求項２】
ハンドホール内部に設置した仕切り部材を、遮蔽部材にて移動不可能とするものである請求項１に記載のハンドホール。
【請求項３】
分割した区画の少なくとも一つを、選択的に隠蔽し得る可動式の遮蔽部材を用いるものである請求項１または請求項２のいずれかに記載のハンドホール。
【請求項４】
遮蔽部材を可動とするための方式が、平行移動を可能とするスライド式、反転変位を可能とする回転式、取付け取外しを可能とする脱着式、の少なくともいずれかである請求項３に記載のハンドホール。
【請求項５】
仕切部材および／または遮蔽部材を施錠手段にて固定可能としたものである請求項１乃至請求項４のいずれかに記載のハンドホール。